(57)【要約】【課題】  フロントカバーや配線基板に何らの対策も講じずに、受光器をその前側、上側及び左右両側からカバーで覆って静電気遮蔽を行う。カバーの取付け作業性や取付け安定性を高め、受光器のリードピンの変形をカバーの作用により抑制する。【解決手段】  受光器１が、脚部１１の上端部に設けられた受光部１２と、その受光部の受光素子１３から引き出されて配線基板に接続されたリードピン１５とを備える。受光器１に透光性を有する箱形のカバー８を装着する。カバー８のリード支持面８４とカバー８の係合爪８５とによって受光器１を挟持させる。フロントカバー５の門形遮蔽壁９の内側にカバー８を配備する。【選択図】        図１
2006173228.tif 000002
【特許請求の範囲】
【請求項１】
電気電子機器筐体の受光窓に受光器の受光素子を備えた受光部が臨んでなる受光装置において、
上記受光器が、配線基板に立ち上げられた脚部の上端部に設けられた上記受光部と、その受光部の受光素子から引き出されて配線基板に接続されかつその中間部に後下がりの傾斜部を有するリードピンとを備え、
この受光器に、当該受光器の前側を覆う前壁と当該受光器の左右両側を覆う側壁と当該受光器の上側を覆う上壁とを備えて後面と下面とが開放された透光性を有する樹脂成形体でなる静電気遮蔽用の箱形のカバーが装着されていると共に、そのカバーの前壁及び側壁の下端が上記配線基板に接触状態で重なり合い、
上記前壁に上記リードピンの傾斜部に下側から重なり合ったリード支持面が備わり、上記カバーの側壁の下端後部に具備されて上記脚部の後端部に係合した係合爪と上記リード支持面との共働により受光器を挟持させることによって上記カバーが受光器に装着されており、
上記受光窓を有する電気電子筐体のフロントカバーから後向きに突出された門形遮蔽壁の内側に上記カバーが配備されていることを特徴とする受光装置。
【請求項２】
電気電子機器筐体の受光窓に受光器の受光素子を備えた受光部が臨んでなる受光装置において、
上記受光器の前側と上側と左右両側とを覆って静電気を遮蔽する透光性を有する樹脂成形体でなるカバーが当該受光器に装着されていることを特徴とする受光装置。
【請求項３】
上記受光器は、配線基板に立ち上げられた脚部の上端部にその受光部を備えていて、上記カバーは、上記脚部に対する係合箇所を介して受光器に装着されている請求項２に記載した受光装置。
【請求項４】
上記受光器が、その受光素子から引き出されて配線基板に接続されたリードピンを備え、上記カバーが、上記リードピンに重なり合うリード支持面を備えている請求項３に記載した受光装置。
【請求項５】
上記カバーは後面及び下面が開放した箱形に形成されていて、上記受光部の左右両側を覆う側壁の下端後部に、上記脚部の後端部に係合しかつ上記リードピンに重なり合ったリード支持面と共働して上記受光器を挟持する係合爪を備えていると共に、上記前壁の下端と上記受光部の左右両側を覆う側壁の下端とが上記配線基板に接触状態で重なり合っている請求項４に記載した受光装置。
【請求項６】
上記リード支持面が、上記リードピンの中間部に形成された後下がりの傾斜部に下側から重なり合っている請求項５に記載した受光装置。
【発明の詳細な説明】
【技術分野】
【０００１】
本発明は、受光装置、特に、静電気を帯電することによる電子部品の誤作動や静電破壊などを防止するための静電対策が講じられた受光装置に関する。
【背景技術】
【０００２】
図５にＤＶＤドライブなどのディスク装置やテレビジョン受像機などの電気電子機器に採用される遠隔制御用の受光装置を示してあり、（Ａ）はその取付箇所の概略縦断側面図、（Ｂ）は同取付箇所の横断平面図である。
【０００３】
この受光装置において、受光器１は、配線基板１００に立ち上げられた板金製の左右の脚部１１の上端部に受光部１２を備えている。受光部１２は受光素子１３と入光部１４とを有し、入光部１４に到達した光制御信号が受光素子１３により検知される。配線基板１００は電気電子筐体に収容され、受光器１の入光部１４が、電気電子筐体のフロントカバー５に備わっている受光窓５１に臨まされている一方、受光窓１２は、フロントカバー５の前側に配備された透光性を有するカバーパネルとしてのディスプレイウインド６によって覆われている。
【０００４】
以上説明した構成の受光装置において、人の手指などの人体がフロントカバー５やディスプレイウインド６などに接触して静電気が受光器１の配備箇所で放電すると、受光器１の受光素子１３や配線基板に搭載されているその他の電子素子などが静電気に帯電して誤作動したり静電破壊を起こしたりするおそれがある。
【０００５】
そこで、図５に示してあるように、受光器１の前側にフラットで透明な遮蔽板７を配備し、その遮蔽板７の下端部に連設した取付け片７１をフロントカバー５の下部内面に両面粘着テープ７２を用いて貼着するという手段を採用することによって、フロントカバー５の外面側から受光器に飛び込む静電気を遮蔽させるということを試みた。
【０００６】
また、図５に示した遮蔽板７に代えて、受光器１にポリエチレン樹脂シートで製作した袋状のシートカバーを被せるという方法も試みた。
【０００７】
これに対し、従来、空気調和機の受光装置として、受光素子の前面と側面とを覆う断面コ字状の透光カバーを、係止爪と係止孔との係合構造を介して外装パネルに取り付けたものが提案されていた（たとえば特許文献１参照）。また、操作パネルの静電防止構造として、操作パネルの液晶表示装置及びその駆動用回路の両側に導電性部材を設け、この導電性部材をグランドに設置することも提案されていた（たとえば特許文献２参照）。
【特許文献１】特開平１１−１４８６７６号公報
【特許文献２】特開２００３−２６４０９６号公報
【発明の開示】
【発明が解決しようとする課題】
【０００８】
しかしながら、図５を参照して説明したもののように、フロントカバー５に貼着した遮蔽板７を受光器１の前側に配備しただけでは、受光器１の上方や側方から静電気が飛び込むことを防ぎ切れないことが知見され、また、遮蔽板７をフロントカバー５に取り付けるのに両面粘着テープ７２が余分に必要になるいう問題が生じた。また、受光器１に袋状のシートカバーを被せるという方法では、シートカバーを受光器１に被せる作業が煩わしく、また、フロントカバー５にリブなどが突出していると、そのリブが障害になって装着することができないことがあるという問題が生じた。
【０００９】
これに対し、特許文献１に記載されているものは、外装パネルに一体に内向きに突設した係止爪に透光カバー側の係止孔を嵌め込んで係止させることによって、透光カバーを外装パネルに固着してあるために、外装パネルに係止爪を余分に設けなければならず、そのためには外装パネルの成形金型の形状を変更しなければならないというコスト的なデメリットを生じることが明らかである。また、特許文献２に記載されているものは、導電性部材を操作パネル回路基板に固定する構成を採用しているので、操作パネル回路基板に導電性部材を固定し得るようにするための特別な対策を別途講じることが必要になるという煩わしさがある。
【００１０】
本発明は以上の問題や状況に鑑みてなされたものであり、図５を参照して説明した受光装置に備わっている基本構成をそのまま生かし、同図のフロントカバー５や配線基板１００には何らの対策も講じずに、受光器をその前側からだけでなく上側及び左右両側からもカバーで覆って静電気を満足のいく程度に遮蔽することができ、しかも、カバーを作業性よく取り付けることのできる受光装置を提供することを目的とする。
【００１１】
また、本発明は、受光器の構造に着目し、その受光器の構造を利用して静電気遮蔽作用を発揮するカバーを作業性よく取り付けることのできる受光装置を提供することを目的とする。
【００１２】
さらに、本発明は、静電気遮蔽作用を発揮するカバーに、受光器の受光素子から引き出されているリードピンの変形を防ぐ機能を具備させ、併せて、カバーの取付け状態が安定する受光装置を提供することを目的とする。
【課題を解決するための手段】
【００１３】
本発明に係る受光装置は、電気電子機器筐体の受光窓に受光器の受光素子を備えた受光部が臨んでなる受光装置において、上記受光器の前側と上側と左右両側とを覆って静電気を遮蔽する透光性を有する樹脂成形体でなるカバーが当該受光器に装着されているというものである。
【００１４】
この構成であれば、カバーが受光器の前側と上側と左右両側とを覆って静電気を遮蔽するために満足のいく静電気遮蔽作用が発揮される。また、カバーが受光器に装着されているので、フロントカバーなどの電気電子機器筐体や受光器の受光素子が接続されている配線基板などにカバーを取り付けるための特別な構成を追加する必要がない。言い換えると、受光器自体にカバーを装着するので、電気電子機器の機種やフロントカバーなどの筐体の形状によってカバーを取り付けることができなくなるという事態が起こらず、その機種や形状を問わずにカバーを取り付けることができるという卓越した作用が奏される。
【００１５】
本発明において、上記受光器は、配線基板に立ち上げられた脚部の上端部にその受光部を備えていて、上記カバーは、上記脚部に対する係合箇所を介して受光器に装着されていることが望ましい。これによれば、カバーの係合箇所として選定されている受光器の脚部が、受光器の受光部を支えるのに十分に大きな強度を有している部分であるので、カバーを強固に受光器に装着することができるという利点がある。
【００１６】
本発明では、上記受光器が、その受光素子から引き出されて配線基板に接続されたリードピンを備え、上記カバーが、上記リードピンに重なり合うリード支持面を備えているという構成を採用することが望ましい。これによれば、外力を受けて変形しやすいリードピンが、受光器に装着されているカバーのリード支持面で支えられるために不慮に変形しにくくなる。
【００１７】
本発明において、上記カバーは後面及び下面が開放した箱形に形成されていて、上記受光部の左右両側を覆う側壁の下端後部に、上記脚部の後端部に係合しかつ上記リードピンに重なり合ったリード支持面と共働して上記受光器を挟持する係合爪を備えていると共に、上記前壁の下端と上記受光部の左右両側を覆う側壁の下端とが上記配線基板に接触状態で重なり合っていることが望ましい。これによれば、受光器がカバーによって前側、上側及び左右両側から覆われ、しかも、配線基板によって下側から覆われて静電気遮蔽作用が高められるだけでなく、カバーと配線基板との隙間が生じにくくなってそのような隙間から静電気が飛び込むという事態が起こりにくくなる。また、カバーはその後面が開放しているので、そのカバーを受光器の前側から差し込んでその係合爪を受光器の脚部に係合させることと併せて、リード支持面をリードピンに重ね合わせるという作業を通じてそのカバーを受光器に簡単な作業で確実に装着することができるために組立性が向上する。さらに、カバーのリード支持面と係合爪とによって受光器を挟持させ、かつ、カバーの前壁の下端と側壁の下端とが配線基板に接触状態で重なり合っているという構成により、カバーの前後左右方向でのぐらつきが生じにくくなって受光器に対するカバーの取付け状態が安定する。
【００１８】
本発明では、上記リード支持面が、上記リードピンの中間部に形成された後下がりの傾斜部に下側から重なり合っていることが望ましい。これによれば、カバーがリードピンと配線基板とにより挟まれた状態になるために、カバーのぐらつきがいっそう生じにくくなって受光器に対するカバーの取付け状態がいっそう安定する。
【００１９】
本発明に係る受光装置は、電気電子機器筐体の受光窓に受光器の受光素子を備えた受光部が臨んでなる受光装置において、上記受光器が、配線基板に立ち上げられた脚部の上端部に設けられた上記受光部と、その受光部の受光素子から引き出されて配線基板に接続されかつその中間部に後下がりの傾斜部を有するリードピンとを備え、この受光器に、当該受光器の前側を覆う前壁と当該受光器の左右両側を覆う側壁と当該受光器の上側を覆う上壁とを備えて後面と下面とが開放された透光性を有する樹脂成形体でなる静電気遮蔽用の箱形のカバーが装着されていると共に、そのカバーの前壁及び側壁の下端が上記配線基板に接触状態で重なり合い、上記前壁に上記リードピンの傾斜部に下側から重なり合ったリード支持面が備わり、上記カバーの側壁の下端後部に具備されて上記脚部の後端部に係合した係合爪と上記リード支持面との共働により受光器を挟持させることによって上記カバーが受光器に装着されており、上記受光窓を有する電気電子筐体のフロントカバーから後向きに突出された門形遮蔽壁の内側に上記カバーが配備されている、という構成を採用することが可能である。この構成であれば、カバーが装着された受光器の側方や上方などにＬＥＤその他の電気電子部品が装備されているような電気電子機器においては、門形遮蔽壁が目隠し板としての機能を発揮してフロントカバーの受光窓からそれらの電気電子部品が見えなくなるという利点がある。
【発明の効果】
【００２０】
以上のように、本発明によれば、受光器をその前側、上側及び左右両側からカバーで覆って静電気遮蔽を行っているので、十分に満足のいく静電気遮蔽効果を得られ、受光素子を含む電子部品の誤作動や静電破壊が未然に防止され、電気電子機器の動作安定性や耐久性を向上させることが可能である。また、カバーを受光器自体に装着することによって図５を参照して説明したフロントカバー５や配線基板１００に何らの対策も講じていないので、フロントカバーなどの筐体や電気電子機器の機種に関係なくカバーを取り付けることができ、耐静電性能を強化するのにフロントカバーの形状を変更したりすることが不要になってそれだけ安価に電気電子機器を提供することができるようになる。さらに、カバーの取付け作業性や取付け安定性を高め、受光器のリードピンの不慮の変形を、その受光器に装着したカバーの作用により抑制することができるという効果も得られる。
【発明を実施するための最良の形態】
【００２１】
図１は本発明に係る受光装置の縦断側面図、図２は同受光装置の横断平面図、図３は図１のＩＩＩ線矢視図、図４は受光器１とカバー８とを示した分解斜視図である。
【００２２】
この受光装置は、ＤＶＤドライブなどのディスク装置やテレビジョン受像機などの電気電子機器に採用される遠隔制御用の受光装置に相当していて、受光器１自体の構成、受光器１が配線基板１００に搭載されている点、電気電子機器筐体のフロントカバー５の構成などは、図５を参照して説明したところと同様である。したがって、以下の説明では、同一又は相応する部分に同一符号を付して説明の重複を回避することにする。
【００２３】
受光器１の受光素子１３から所要本数（図例では３本）のリードピン１５が引き出され、それらのリードピン１５の下端が配線基板１００に半田付けによって接続されている。また、リードピン１５は、その中間部の２箇所で屈曲されてそれらの屈曲箇所の相互間部分が後下がりの傾斜部１６として形成されている。受光器１の左右の板金製の脚部１１の下端も配線基板１００に半田付けによって接続されている。この受光器１にあっては、配線基板１００に固定された左右の脚部１１とリードピン１５とによって起立姿勢が保持されている。
【００２４】
静電気遮蔽用のカバー８は透光性を有する合成樹脂成形体でなり、前壁８１、左右の側壁８２及び上壁８３とを備えた箱形に形成されていて、その後面と下面とは開放されている。また、前壁８１に後下がりに傾斜したリード支持面８４が備わっているのに対し、左右の側壁８２のそれぞれの下端後部に係合爪８５が備わっている。図４に現れているように、係合爪８５は、その後面が傾斜したガイド面８６として形成されている。また、係合爪８５の前側には受光器１の脚部１１の外面に接触してその脚部１１と側壁８２との間に隙間を形成するための当り面８７が段付状に形成されている。
【００２５】
カバー８は、図４に矢印ａで示したように、配線基板１００に搭載されている受光器１の前側から差し込まれてその受光器１に装着される。この組立工程では、カバー８の左右の係合爪８５がガイド面８６の呼込み作用により受光器１の左右の脚部１１の外側に嵌め込まれた後、カバー８の左右の側壁８２や受光器１の左右の脚部１１の弾性変形を通じてそれらの係合爪８５が脚部１１の外面と摺動し、係合爪８５が脚部１１を乗り越えたときに側壁８２や脚部１１が元の形状に復元して係合爪８５が脚部１１の後端部に係合する。そして、左右の係合爪８５が脚部１１の後端部に係合すると、カバー８の前壁８１のリード支持面８４が図１のように受光器１のリードピン１５の傾斜部１６に下側から重なり合って、カバー８の係合爪８５とリード支持面８４とが共働して受光器１を挟持する。また、カバー８の前壁８１の下端や左右の側壁８２の下端は、配線基板１００の板面に接触状態で重ね合わされる。
【００２６】
こうして受光器１にカバー８が装着されていると、カバー８の係合爪８５の係合箇所として選定されている受光器１の脚部８２が、受光部１２を支えるのに十分に大きな強度を有する板金で製作されていることにより、カバー８が強固に受光器１に装着されて優れた取付け安定性が発揮されることに加えて、カバー８のリード支持面８４と係合爪８５とが受光器１を挟持し、しかも、カバー８の前壁８１と左右の側壁８２のそれぞれの下端が配線基板１００に接触状態で重なり合っているので、カバー８が前後左右方向でぐらつくことがなく、その取付け安定性がいっそう優れたものになり、さらに、カバー８のリード支持面８４がリードピン１５の傾斜部１６に下側から重なり合っていることにより、カバー８の浮き上がりもその傾斜部１６によって阻止される。また、この実施形態のように、カバー８のリード支持面８４がリードピン１５の傾斜部１６に重なり合っていると、リードピン１５が変形しにくくなってリードピン１５の変形に起因する接続不良や受光器１の不慮の傾きが生じにくくなるという利点がある。
【００２７】
受光器１にカバー８を装着するための組立工程は、フロントカバー５を取り付ける前の電気電子機器筐体に収容されている。したがって、上記したようなカバー８の組立工程は、フロントカバー５にじゃまされることなく正確にしかも容易に行うことができる。そして、カバー８を受光器１に装着した後、フロントカバー５が前方から筐体に装着され、このフロントカバー５の組立工程を経ることにより、図１又は図２のように、フロントカバー５の受光窓５１が受光器１の入光部１４に対向し、受光部１２がその受光窓５１に臨む。
【００２８】
以上説明した受光装置によれば、カバー８が受光器１の前側と上側と左右両側とを覆い、しかも、受光器１が配線基板１００によって下側からも覆われるために、優れた静電気遮蔽作用が得られることを確認できた。
【００２９】
図１に示した事例では、受光窓５１を有するフロントカバー５に、その受光窓５１を取り囲むように後向きに突出された門形遮蔽壁９が備わっていて、この門形遮蔽壁９の内側に上記カバー８が配備されている。この構成であれば、カバー８が装着された受光器１の側方や上方などにＬＥＤその他の電気電子部品が装備されているとしても、門形遮蔽壁９が目隠し板としての機能を発揮して受光窓５１からそれらの電気電子部品が見えなくなる。また、そのような門形遮蔽壁９が設けられていても、カバー８が受光器１に装着されていることによって、門形遮蔽壁９がカバー８を装備させることの障害にはなるという事態は起こり得ない。
【００３０】
以上説明した実施形態では、カバー８のリード支持面８４がリードピン１５の傾斜部１６に重なり合っている事例を説明したけれども、リードピン１５が傾斜部１６を持たないまっすぐなピンで形成されている場合には、カバーのリード支持面を垂直面によって形成し、そのような垂直面でなるリード支持面と係合爪とによって受光器を挟持させることが可能である。
【図面の簡単な説明】
【００３１】
【図１】本発明に係る受光装置の縦断側面図である。
【図２】同受光装置の横断平面図である。
【図３】図１のＩＩＩ線矢視図である。
【図４】受光器とカバーとを示した分解斜視図である。
【図５】（Ａ）は参考例としての受光装置の取付箇所の概略縦断側面図、（Ｂ）は同取付箇所の横断平面図である。
【符号の説明】
【００３２】
１  受光器
５  筐体のフロントカバー
８  カバー
９  門形遮蔽壁
１１  脚部
１２  受光部
１３  受光素子
１５  リードピン
１６  リードピンの傾斜部
５１  受光窓
８１  前壁
８２  側壁
８３  上壁
８４  リード支持面
８５  係合爪
１００  配線基板
【図１】
2006173228.tif 000003
【図２】
2006173228.tif 000004
【図３】
2006173228.tif 000005
【図４】
2006173228.tif 000006
【図５】
2006173228.tif 000007